(57)【要約】【課題】一のユーザのブログやホームページから他の（別の）ユーザのデスクトップへと、というようにシームレスに配信することを可能とする情報送受信システム及び情報送受信プログラムを提供する。【解決手段】配信対象の情報４や機能パーツ５が、配信元の情報処理装置１から一の個別ユーザ２ａにダウンロードされ、更にその一の個別ユーザ２ａから別の個別ユーザ２ｂ、２ｃへとダウンロードされて、その配信対象の情報４又は機能パーツ５の内、少なくとも何れか一つの利用が、樹形図的に広まるようにする。【選択図】図１
2008299733.tif 000002
【特許請求の範囲】
【請求項１】
配信元の情報処理装置と、各個別ユーザの情報処理端末装置と、少なくとも配信元の情報処理装置と各個別ユーザの情報処理端末装置との間での情報の送受信を行うコンピュータネットワークとを有する情報送受信システムであって、
配信元の情報処理装置が、少なくとも配信開始時点で、
個別ユーザからのコンピュータネットワークを介してのダウンロード要求に対応して配信可能な状態で記憶されている配信対象の情報又は機能パーツの内、少なくとも何れか一つのデータと、
個別ユーザからのダウンロード要求に対応して、その個別ユーザによってダウンロード対象として選択された配信対象の情報又は機能パーツの内、少なくとも何れか一つを、その個別ユーザの情報処理端末装置にコンピュータネットワークを介して送信する機能と、その送信された配信対象の情報又は機能パーツの内、少なくとも何れか一つ並びにそれを有効にするアイコンをその個別ユーザの情報処理端末装置のデスクトップ上に常駐させる機能と、個別ユーザからのダウンロード要求に対応して、そのダウンロード要求を発した個別ユーザの識別情報の送信を要求する機能と、その個別ユーザの識別情報の送信を受けてその個別ユーザの識別情報を端末識別リストに書き込む機能と、デスクトップに配置されたアイコンを同一の情報処理端末装置内で別のページにコピー又は移動する機能と、別の個別ユーザからのダウンロード要求に対応して、その別の個別ユーザの情報処理端末装置をコンピュータネットワークを介して配信元の情報処理装置に接続して情報の送受信が可能な状態にする機能とを有する情報送受信プログラムと
を、一つのソフトウェアパッケージとして、一度のダウンロード要求に対応して一度にダウンロード可能に備えており、
配信対象の情報又は機能パーツの内、少なくとも何れか一つが、配信元の情報処理装置から一の個別ユーザにダウンロードされ、更にその一の個別ユーザから別の個別ユーザへとダウンロードされて、その配信対象の情報又は機能パーツの内、少なくとも何れか一つの利用が複数の個別ユーザへと樹形図的な相関関係で広まるように設定してなることを特徴とする情報送受信システム。
【請求項２】
情報送受信プログラムが、更に、
一の個別ユーザに対して別の個別ユーザからダウンロード要求があったときには、その別の個別ユーザからダウンロード要求があったというダウンロード要求履歴情報を、配信元の情報処理装置へと送信し、一の個別ユーザに関するダウンロード要求履歴情報として、ダウンロード要求履歴情報リストに記憶させる機能と、
一の個別ユーザの、自己の情報端末処理装置に対する別の個別ユーザからのダウンロード要求履歴情報及びそれ以降に樹形図的に連続するダウンロード要求履歴情報の閲覧の要求を受けて、一の個別ユーザの情報端末処理装置に対する別の個別ユーザからのダウンロード要求履歴情報及びそれ以降に樹形図的に連続するダウンロード要求履歴情報の送信を、配信元の情報処理装置へと要求する機能と、
その要求に対応して配信元の情報処理装置から送信されて来たダウンロード要求履歴情報を受けて、一の個別ユーザの情報端末処理装置に記憶又は出力する機能と
を備え、
配信元の情報処理装置が、
個別ユーザからの、ダウンロード要求履歴情報の送信の要求を受けると、それに対応して、その個別ユーザの情報端末処理装置に対する別の個別ユーザからのダウンロード要求履歴情報及びそれ以降に樹形図的に連続したダウンロード要求履歴情報を、ダウンロード要求履歴情報リストから読み出して、そのダウンロード要求履歴情報の送信を要求している個別ユーザの情報端末処理装置へと送信する機能を有する、ダウンロード履歴追跡プログラムを備えた
ことを特徴とする請求項１記載の情報送受信システム。
【請求項３】
配信元の情報処理装置が、
ダウンロード要求の対象となった配信対象の情報又は機能パーツの内、少なくとも何れか一つのダウンロード回数を計数してその情報を記憶又は出力する機能を有する、ダウンロード計数プログラムを備えた
ことを特徴とする請求項１又は２記載の情報送受信システム。
【請求項４】
配信元の情報処理装置が、
端末識別リストに基づいて、その端末識別リストに記憶されている全ての又はその内から選択された幾つかの個別ユーザに対して一斉に、新たな配信対象の情報又は機能パーツの内、少なくとも何れか一つを配信する、配信データ更新プログラムを備えた
ことを特徴とする請求項１乃至３の内、何れか一項に記載の情報送受信システム。
【請求項５】
配信元の情報処理装置と、各個別ユーザの情報処理端末装置と、少なくとも配信元の情報処理装置と各個別ユーザの情報処理端末装置との間での情報の送受信を行うコンピュータネットワークとを有する情報送受信システムに用いられる情報送受信プログラムであって、
個別ユーザからのコンピュータネットワークを介してのダウンロード要求に対応して配信可能な状態で記憶されている配信対象の情報又は機能パーツの内、少なくとも何れか一つのデータと、
個別ユーザからのダウンロード要求に対応して、その個別ユーザによってダウンロード対象として選択された配信対象の情報又は機能パーツの内、少なくとも何れか一つを、その個別ユーザの情報処理端末装置にコンピュータネットワークを介して送信する機能と、その送信された配信対象の情報又は機能パーツの内、少なくとも何れか一つ並びにそれを有効にするアイコンをその個別ユーザの情報処理端末装置のデスクトップ上に常駐させる機能と、個別ユーザからのダウンロード要求に対応して、そのダウンロード要求を発した個別ユーザの識別情報の送信を要求する機能と、その個別ユーザの識別情報の送信を受けてその個別ユーザの識別情報を端末識別リストに書き込む機能と、デスクトップに配置されたアイコンを同一の情報処理端末装置内で別のページにコピー又は移動する機能と、別の個別ユーザからのダウンロード要求に対応して、その別の個別ユーザの情報処理端末装置をコンピュータネットワークを介して配信元の情報処理装置に接続して情報の送受信が可能な状態にする機能とを有する情報送受信プログラムと
を、一つのソフトウェアパッケージとして、一度のダウンロード要求に対応して一度にダウンロード可能に備えており、
少なくとも配信開始時点には、配信元の情報処理装置に配備され、
配信対象の情報又は機能パーツの内、少なくとも何れか一つが、配信元の情報処理装置から一の個別ユーザにダウンロードされ、更にその一の個別ユーザから別の個別ユーザへとダウンロードされて、その配信対象の情報又は機能パーツの内、少なくとも何れか一つの利用が樹形図的な相関関係で広まるように設定してなることを特徴とする情報送受信プログラム。
【請求項６】
一の個別ユーザに対して別の個別ユーザからダウンロード要求があったときには、その別の個別ユーザからダウンロード要求があったというダウンロード要求履歴情報を、配信元の情報処理装置へと送信し一の個別ユーザに関するダウンロード要求履歴情報としてダウンロード要求履歴情報リストに記憶させる機能と、
一の個別ユーザの、自己の情報端末処理装置に対する別の個別ユーザからのダウンロード要求履歴情報及びそれ以降に樹形図的に連続するダウンロード要求履歴情報の閲覧の要求を受けて、一の個別ユーザの情報端末処理装置に対する別の個別ユーザからのダウンロード要求履歴情報及びそれ以降に樹形図的に連続したダウンロード要求履歴情報の送信を、配信元の情報処理装置へと要求する機能と、
その要求に対応して配信元の情報処理装置から送信されてきたダウンロード要求履歴情報を、一の個別ユーザの情報端末処理装置に記憶又は出力する機能と
を備えたことを特徴とする請求項５記載の情報送受信プログラム。
【請求項７】
配信元の情報処理装置に対して、配信対象の情報又は機能パーツの内、少なくとも何れか一つのダウンロード回数を計数してそのダウンロード回数の情報を送信することを要求する機能と、
それに対応して配信元の情報処理装置から送信されてきたダウンロード回数の情報を、一の個別ユーザの情報端末処理装置に記憶又は出力する機能と
を備えたことを特徴とする請求項５又は６記載の情報送受信プログラム。
【請求項８】
端末識別リストに基づいて、その端末識別リストに記憶されている全ての又はその内から選択された幾つかの個別ユーザに対して一斉に、新たな配信対象の情報又は機能パーツの内、少なくとも何れか一つを配信する配信データ更新機能を備えて、
少なくとも配信開始時点で配信元の情報処理装置に配備される
ことを特徴とする請求項５乃至７の内、何れか一項に記載の情報送受信プログラム。
【発明の詳細な説明】
【技術分野】
【０００１】
本発明は、例えばＲＳＳやＤＴＳ等のサービスソフトウェアやＦＬＡＳＨ画像等を、コンテンツホルダ又はサーバと呼ばれる配信元側のパーソナルコンピュータのような情報処理装置に用意されたウェブサイトから、インターネットを介してユーザ側のパーソナルコンピュータや携帯電話機のような情報処理装置にダウンロードして用いる、情報送受信システム及び情報送受信プログラムに関する。
【背景技術】
【０００２】
従来、この種の情報送受信システム及び情報送受信プログラムは、例えば特開２００２−７３５４５号公報（特許文献１）、特開平１１−１７５５３２号公報（特許文献２）等に提案されている。これらの技術によれば、利用者のパーソナルコンピュータ又は携帯電話機のような個別の情報処理端末装置の表示画面にブラウザソフト等を介して表示されるウェブページの一部に、バナー広告に代表される画像や、テキスト広告などが表示され、それらをクリックすると、リンク先（配信元）のウェブページに掲げられている情報を利用者側の情報処理端末装置の画面で閲覧することができるようになっている。
【０００３】
【特許文献１】特開２００２−７３５４５号公報
【特許文献２】特開平１１−１７５５３２号公報
【発明の開示】
【発明が解決しようとする課題】
【０００４】
しかしながら、上記のような従来の技術では、いわゆるコンテンツホルダレイヤ又はサーバとしての配信元のウェブサイトから、そのウェブサイトに直接にアクセスし、そのサイトに用意されている広告等を伴ったＲＳＳやその他各種の機能を有するパーツ等をダウンロードするというように、配信元にアクセスしてその配信元から直接にダウンロードを受けるといった、ファンレイヤとしてのユーザに配信元からの配信が広がって行くことは可能であるが、そのファンレイヤとしてのユーザが開設しているホームページやブログから、そこに使用されているＲＳＳやその他各種の機能パーツ等を、更に他のバイラルレイヤとしてのユーザへとダウンロードして用いるということなどについては考慮されていなかった。この為、配信元のウェブサイトから一人のユーザへと、そしてその人と次のユーザが開設しているブログやホームページから別のユーザのデスクトップへと、というようなシームレスな配信を実現することが望まれるが、それに対応することは従来の技術では困難であった。
【０００５】
従来の技術では、上記のようにコンテンツホルダレイヤからファンレイヤへの配信は可能であるが、更にそのファンレイヤからバイラルレイヤへの間の配信については考慮されていなかった。この為、配信元からの情報の配信を受けたユーザから直接的に、更に別のユーザへと、というような、バイラルな配信のシームレスな広がりを実現することが困難であった。
【０００６】
従来の技術では、上記のような配信の広がりを、ファンレイヤ及びバイラルレイヤの各ユーザが追跡・把握することは実質的に不可能であった。
【０００７】
本発明は、このような問題に鑑みて成されたもので、その目的は、配信対象の情報や各種機能パーツを、例えばＦＬＡＳＨ素材やアイコン等をクリックするだけといった簡易な操作によって、一のユーザのブログやホームページから他の（別の）ユーザのデスクトップへと、というようにシームレスに配信することを可能とする情報送受信システム及び情報送受信プログラムを提供すること、バイラルな配信のシームレスな広がりを実現することを可能とする情報送受信システム及び情報送受信プログラムを提供すること、配信の広がりをファンレイヤ及びバイラルレイヤの各ユーザが追跡・把握することを可能とする情報送受信システム及び情報送受信プログラムを提供することにある。
【課題を解決するための手段】
【０００８】
本発明に係る請求項１記載の情報送受信システムは、コンテンツホルダレイヤとしての配信元の情報処理装置と、ファンレイヤ及びバイラルレイヤとしての各個別ユーザの情報処理端末装置と、少なくとも配信元の情報処理装置と各個別ユーザの情報処理端末装置との間での情報の送受信を行うコンピュータネットワークとを有する情報送受信システムであって、配信元の情報処理装置が、少なくとも配信開始時点で、個別ユーザからのコンピュータネットワークを介してのダウンロード要求に対応して配信可能な状態で記憶されている配信対象の情報又は機能パーツの内、少なくとも何れか一つのデータと、個別ユーザからのダウンロード要求に対応して、その個別ユーザによってダウンロード対象として選択された配信対象の情報又は機能パーツの内、少なくとも何れか一つを、その個別ユーザの情報処理端末装置にコンピュータネットワークを介して送信する機能と、その送信された配信対象の情報又は機能パーツの内、少なくとも何れか一つ並びにそれを有効にするアイコンをその個別ユーザの情報処理端末装置のデスクトップ上に常駐させる機能と、個別ユーザからのダウンロード要求に対応して、そのダウンロード要求を発した個別ユーザの識別情報の送信を要求する機能と、その個別ユーザの識別情報の送信を受けてその個別ユーザの識別情報を端末識別リストに書き込む機能と、デスクトップに配置されたアイコンを同一の情報処理端末装置内で別のページにコピー又は移動する機能と、別の個別ユーザからのダウンロード要求に対応して、その別の個別ユーザの情報処理端末装置をコンピュータネットワークを介して配信元の情報処理装置に接続して情報の送受信が可能な状態にする機能とを有する情報送受信プログラムとを、一つのソフトウェアパッケージとして、一度のダウンロード要求に対応して一度にダウンロード可能に備えており、配信対象の情報又は機能パーツの内、少なくとも何れか一つが、配信元の情報処理装置から一の個別ユーザにダウンロードされ、更にその一の個別ユーザから別の個別ユーザへとダウンロードされて、その配信対象の情報又は機能パーツの内、少なくとも何れか一つの利用が樹形図的な相関関係で広まるように設定してなることを特徴としている。
【０００９】
本発明に係る請求項２記載の情報送受信システムは、請求項１記載の情報送受信システムにおいて、情報送受信プログラムが、更に、一の個別ユーザに対して別の個別ユーザからダウンロード要求があったときには、その別の個別ユーザからダウンロード要求があったというダウンロード要求履歴情報を、配信元の情報処理装置へと送信し、一の個別ユーザに関するダウンロード要求履歴情報として、ダウンロード要求履歴情報リストに記憶させる機能と、一の個別ユーザの、自己の情報端末処理装置に対する別の個別ユーザからのダウンロード要求履歴情報及びそれ以降に樹形図的に連続するダウンロード要求履歴情報の閲覧の要求を受けて、一の個別ユーザの情報端末処理装置に対する別の個別ユーザからのダウンロード要求履歴情報及びそれ以降に樹形図的に連続したダウンロード要求履歴情報の送信を、配信元の情報処理装置へと要求する機能と、その要求に対応して配信元の情報処理装置から送信されてきたダウンロード要求履歴情報を受けて、一の個別ユーザの情報端末処理装置に記憶又は出力する機能とを備え、配信元の情報処理装置が、個別ユーザからの、ダウンロード要求履歴情報の送信の要求を受けると、それに対応して、その個別ユーザの情報端末処理装置に対する別の個別ユーザからのダウンロード要求履歴情報及びそれ以降に樹形図的に連続したダウンロード要求履歴情報を、ダウンロード要求履歴情報リストから読み出して、そのダウンロード要求履歴情報の送信を要求している個別ユーザの情報端末処理装置へと送信する機能を有する、ダウンロード履歴追跡プログラムを備えたことを特徴としている。
【００１０】
本発明に係る請求項３記載の情報送受信システムは、請求項１又は２記載の情報送受信システムにおいて、配信元の情報処理装置が、ダウンロード要求の対象となった配信対象の情報又は機能パーツの内、少なくとも何れか一つのダウンロード回数を計数してその情報を記憶又は出力する機能を有する、ダウンロード計数プログラムを備えたことを特徴としている。
【００１１】
本発明に係る請求項４記載の情報送受信システムは、請求項１乃至３の内、何れか一項に記載の情報送受信システムにおいて、配信元の情報処理装置が、端末識別リストに基づいて、その端末識別リストに記憶されている全ての又はその内から選択された幾つかの個別ユーザに対して一斉に、新たな配信対象の情報又は機能パーツの内、少なくとも何れか一つを配信する、配信データ更新プログラムを備えたことを特徴としている。
【００１２】
本発明に係る請求項５記載の情報送受信プログラムは、配信元の情報処理装置と、各個別ユーザの情報処理端末装置と、少なくとも配信元の情報処理装置と各個別ユーザの情報処理端末装置との間での情報の送受信を行うコンピュータネットワークとを有する情報送受信システムに用いられる情報送受信プログラムであって、個別ユーザからのコンピュータネットワークを介してのダウンロード要求に対応して配信可能な状態で記憶されている配信対象の情報又は機能パーツの内、少なくとも何れか一つのデータと、個別ユーザからのダウンロード要求に対応して、その個別ユーザによってダウンロード対象として選択された配信対象の情報又は機能パーツの内、少なくとも何れか一つを、その個別ユーザの情報処理端末装置にコンピュータネットワークを介して送信する機能と、その送信された配信対象の情報又は機能パーツの内、少なくとも何れか一つ並びにそれを有効にするアイコンをその個別ユーザの情報処理端末装置のデスクトップ上に常駐させる機能と、個別ユーザからのダウンロード要求に対応して、そのダウンロード要求を発した個別ユーザの識別情報の送信を要求する機能と、その個別ユーザの識別情報の送信を受けてその個別ユーザの識別情報を端末識別リストに書き込む機能と、デスクトップに配置されたアイコンを同一の情報処理端末装置内で別のページにコピー又は移動する機能と、別の個別ユーザからのダウンロード要求に対応して、その別の個別ユーザの情報処理端末装置をコンピュータネットワークを介して配信元の情報処理装置に接続して情報の送受信が可能な状態にする機能とを有する情報送受信プログラムとを、一つのソフトウェアパッケージとして、一度のダウンロード要求に対応して一度にダウンロード可能に備えており、少なくとも配信開始時点には、配信元の情報処理装置に配備され、配信対象の情報又は機能パーツの内、少なくとも何れか一つが、配信元の情報処理装置から一の個別ユーザにダウンロードされ、更にその一の個別ユーザから別の個別ユーザへとダウンロードされて、その配信対象の情報又は機能パーツの内、少なくとも何れか一つの利用が樹形図的な相関関係で広まるように設定してなることを特徴としている。
【００１３】
本発明に係る請求項６記載の情報送受信プログラムは、請求項５記載の情報送受信プログラムにおいて、一の個別ユーザに対して別の個別ユーザからダウンロード要求があったときには、その別の個別ユーザからダウンロード要求があったというダウンロード要求履歴情報を、配信元の情報処理装置へと送信し一の個別ユーザに関するダウンロード要求履歴情報としてダウンロード要求履歴情報リストに記憶させる機能と、一の個別ユーザの、自己の情報端末処理装置に対する別の個別ユーザからのダウンロード要求履歴情報及びそれ以降に樹形図的に連続するダウンロード要求履歴情報の閲覧の要求を受けて、一の個別ユーザの情報端末処理装置に対する別の個別ユーザからのダウンロード要求履歴情報及びそれ以降に樹形図的に連続したダウンロード要求履歴情報の送信を、配信元の情報処理装置へと要求する機能と、その要求に対応して配信元の情報処理装置から送信されてきたダウンロード要求履歴情報を、一の個別ユーザの情報端末処理装置に記憶又は出力する機能とを備えたことを特徴としている。
【００１４】
本発明に係る請求項７記載の情報送受信プログラムは、請求項５又は６記載の情報送受信プログラムにおいて、配信元の情報処理装置に対して、配信対象の情報又は機能パーツの内、少なくとも何れか一つのダウンロード回数を計数してそのダウンロード回数の情報を送信することを要求する機能と、それに対応して配信元の情報処理装置から送信されてきたダウンロード回数の情報を、一の個別ユーザの情報端末処理装置に記憶又は出力する機能とを備えたことを特徴としている。
【００１５】
本発明に係る請求項８記載の情報送受信プログラムは、請求項５乃至７の内、何れか一項に記載の情報送受信プログラムにおいて、端末識別リストに基づいて、その端末識別リストに記憶されている全ての又はその内から選択された幾つかの個別ユーザに対して一斉に、新たな配信対象の情報又は機能パーツの内、少なくとも何れか一つを配信する配信データ更新機能を備えて、少なくとも配信開始時点で配信元の情報処理装置に配備されることを特徴としている。
【発明の効果】
【００１６】
請求項１の発明、又は請求項５の発明によれば、配信対象の情報や機能パーツが、配信元の情報処理装置から一の個別ユーザにダウンロードされ、更にその一の個別ユーザから別の個別ユーザへとダウンロードされて、その配信対象の情報又は機能パーツの内、少なくとも何れか一つの利用が樹形図的に広まるようにしたので、配信元からの情報の配信を受けた一の個別ユーザから直接的に、更に別の個別ユーザへと、というようにバイラルな配信のシームレスな広がりを実現することが可能となる。
【００１７】
請求項２の発明、又は請求項６の発明によれば、一の個別ユーザの情報端末処理装置に対する別の個別ユーザからのダウンロード要求履歴情報及びそれ以降に樹形図的に連続したダウンロード要求履歴情報を、一の個別ユーザの情報端末処理装置に記憶又は出力するようにしたので、ファンレイヤ及びバイラルレイヤの各個別ユーザがそれぞれ、自己のダウンロード以降の配信の樹形図的な広がりや一の個別ユーザと別の個別ユーザとの相関などの情報を追跡・把握することが可能となる。
【００１８】
請求項３の発明、又は請求項７の発明によれば、ダウンロード要求の対象となった配信対象の情報又は機能パーツの内、少なくとも何れか一つのダウンロード回数を計数してその情報を記憶又は出力するようにしたので、配信元又は各個別ユーザが、配信対象の情報又は機能パーツの利用状況を把握することが可能となる。
【００１９】
請求項４の発明、又は請求項８の発明によれば、配信元の情報処理装置が、端末識別リストに記憶されている全ての又はその内から選択された幾つかの個別ユーザに対して、一斉に新たな配信対象の情報又は機能パーツの内、少なくとも何れか一つを配信するようにしたので、上記のように広がった配信ユーザに対して漏れなく一斉に、新たな情報や機能パーツの配信を行うことが可能となる。
【発明を実施するための最良の形態】
【００２０】
以下、本発明の実施の形態に係る情報送受信システム及び情報送受信プログラムについて、図面を参照して説明する。図１は、本発明の実施の形態に係る情報送受信システムの概要構成を示す図、図２はその情報送受信システムにて１パッケージとして用いられる、配信対象のデータ及び情報送受信プログラムにおける主要部の機能の構成を模式的に示すブロック図、図３、図４、図５、図６、図７は、本発明の実施の形態に係る情報送受信システムにおける主要な情報処理動作及び情報送受信動作の流れを示す図である。
【００２１】
この情報送受信システムは、図１に示したように、配信元の情報処理装置１と、各個別ユーザの情報処理端末装置２ａ、２ｂ、２ｃと、コンピュータネットワーク（いわゆるインターネットとも呼ぶ）３とを含んで構成されるシステムである。少なくとも配信時点では、配信元の情報処理装置１に、図２に示したような、配信対象の（配信されるように用意された各種視覚的や聴覚的な）情報４や各種機能パーツ５（以下、これらを総称して配信対象のデータ６とも呼ぶ）が、情報送受信プログラム７と共にいわゆる１データパッケージ８として纏められて、一回のダウンロード要求に対応して一緒にダウンロードされることができるように配備されている。その配信対象のデータ６は、配信元の情報処理装置１からインターネット３を介して例えば一の個別ユーザ２ａにダウンロードされ、更にその一の個別ユーザ２ａの開設したブログやホームページから、簡易な操作によって直接的に、別の例えば個別ユーザ２ｂへ、そして更に別の個別ユーザ２ｃへ、というように、言わば樹形図的に、或いは幾何級数的に、シームレスにダウンロードされて行くように設定されている。
【００２２】
配信元の情報処理装置１は、コンテンツホルダとして所定のウェブサイトを開設している、いわゆるサーバである。この配信元の情報処理装置１には、少なくとも配信開始時点では、配信対象の情報４や機能パーツ５のデータ６と、必ずそれと共に配信又はダウンロードされるように設定された情報送受信プログラム７とが、１つのデータパッケージ８として纏められて配備される。その１つのデータパッケージ８の他に、配信元の情報処理装置１には、ダウンロード履歴追跡プログラム、ダウンロード計数プログラム、配信データ更新プログラム（何れも図２では図示省略）が配備されている。
【００２３】
ウェブサイト内の所定の画面上に、配信対象のデータの画像やそれをダウンロードする為のアイコン等の画像が、個別ユーザ２ａ又は２ｂもしくは２ｃによって任意にダウンロードされるように配置されている。例えばアイコン又はその機能を兼ね備えたマスコットのようなＦＬＡＳＨ素材が、配信元の開設しているウェブサイトにおける所定の画面内に設けられていて、そのアイコンやＦＬＡＳＨ素材を、そのウェブサイトを訪問した個別ユーザ２ａ等がクリックすると、それがその時クリックした個別ユーザ２ａ等からのダウンロード要求入力となるように設定されている。
【００２４】
情報送受信プログラム７は、配信機能９と、アイコン常駐機能１０と、アイコンコピー機能１１と、個別ユーザ識別情報送信要求機能１２と、個別ユーザ識別情報書込機能１３と、サーバ接続機能１４と、ダウンロード要求履歴情報書込機能１５と、ダウンロード要求履歴情報送信要求機能１６と、ダウンロード要求履歴情報出力機能１７とを備えている。
【００２５】
配信機能９は、個別ユーザからのダウンロード要求に対応して、その個別ユーザによってダウンロードすることが選択されてその要求が為された配信対象の情報４や機能パーツ５を、その個別ユーザの情報処理端末装置２ａ、２ｂ、２ｃへと、コンピュータネットワーク３を介して配信する機能である。
【００２６】
アイコン常駐機能１０は、送信された配信対象のデータ（例えばＲＳＳによって自動配信される各種情報４や、各種の機能パーツ５等）及びそれと共にダウンロードされる情報送受信プログラム７を有効にするアイコン又はそれと同等の機能を兼ね備えたＦＬＡＳＨ素材を、その個別ユーザの情報処理端末装置２ａ、２ｂ、２ｃのデスクトップ上に常駐させる機能である。
【００２７】
アイコンコピー機能１１は、一つの個別ユーザの情報処理端末装置（例えば２ａ）のデスクトップに配置されたアイコンを、その同一の情報処理端末装置２ａにおける例えばブログのページのような別のページに、コピー又は移動する機能である。
【００２８】
個別ユーザ識別情報送信要求機能１２は、個別ユーザからのダウンロード要求に対応して、そのダウンロード要求を発した個別ユーザの、例えばメールアドレスや登録認証番号などのような識別情報の送信を要求する機能である。
【００２９】
個別ユーザ識別情報書込機能１３は、個別ユーザの識別情報の送信を受けて、その個別ユーザの識別情報を、インターネット３を介して、配信元の情報処理装置１の記憶装置１８内に設けられている端末識別リスト１９に書き込む機能である。
【００３０】
サーバ接続機能１４は、例えば配信元の開設しているウェブサイトのＨＴＭＬタグを自動的に生成するなどして、一の個別ユーザ（例えば２ａ）とは別の個別ユーザ（以下、単に別の個別ユーザと呼ぶ；例えば２ｂ）からのダウンロード要求に対応して、その別の個別ユーザの情報処理端末装置２ｂを、コンピュータネットワークを介して配信元の情報処理装置（つまりサーバ）１に接続することで、その別の個別ユーザの情報処理端末装置２ｂと配信元の情報処理端末装置１との間で情報を送受信することが可能な状態にする機能である。
【００３１】
ダウンロード要求履歴情報書込機能１５は、一の個別ユーザ２ａに対して別の個別ユーザ２ｂからダウンロード要求があったときには、その別の個別ユーザ２ｂからダウンロード要求があったというダウンロード要求履歴情報を、配信元の情報処理装置１へと送信し、その情報を一の個別ユーザ２ａに関するダウンロード要求履歴情報としてダウンロード要求履歴情報リスト２０に書き込む機能である。
【００３２】
ダウンロード要求履歴情報送信要求機能１６は、一の個別ユーザの、自己の情報端末処理装置２ａに対する別の個別ユーザ２ｂからのダウンロード要求履歴情報及びそれ以降に樹形図的に連続するダウンロード要求履歴情報の閲覧の要求を受けて、一の個別ユーザの情報端末処理装置２ａに対する別の個別ユーザ２ｂからのダウンロード要求履歴情報及びそれ以降に樹形図的に連続したダウンロード要求履歴情報の読み出し〜送信を、配信元の情報処理装置１へと要求する機能である。
【００３３】
ダウンロード要求履歴情報出力機能１７は、一の個別ユーザ２ａの要求に対応して配信元の情報処理装置１から送信されて来たダウンロード要求履歴情報を受けて、それをその一の個別ユーザの情報端末処理装置２ａに記憶又は出力させる機能である。
【００３４】
上記の配信対象のデータ６及び情報送受信プログラム７は、まずコンテンツホルダレイヤである配信元の情報処理装置１から、インターネット３を介してファンレイヤである一の個別ユーザの情報端末処理装置２ａのデスクトップへと、１パッケージになってダウンロードされる。その後、そのファンレイヤである一の個別ユーザの情報端末処理装置２ａのデスクトップから、例えばその一の個別ユーザ２ａの開設したホームページやブログにコピーして用いられる。そのホームページやブログを、バイラルレイヤである別の個別ユーザ（例えば２ｂ又は２ｃ）が訪問し、クリックすると、そこに使用されているアイコンや同等の機能を有するＦＬＡＳＨ素材が、その別の個別ユーザにダウンロードされる。このとき、アイコンや同等の機能を有するＦＬＡＳＨ素材などのような配信対象のデータ６並びに情報送受信プログラム７が、一の個別ユーザの情報端末処理装置２ａから別の個別ユーザの情報端末処理装置２ｂのデスクトップ上へとコピーされる。それと共に、そのダウンロードを受けた（換言すればダウンロードを要求した）バイラルレイヤである別の個別ユーザ２ｂ又は２ｃの認識情報が、配信元の情報処理装置１に送信されて、端末識別リスト１９及びダウンロード要求履歴情報リスト２０に書き込まれる。
【００３５】
その別の個別ユーザの情報端末処理装置２ｂでは、その別の個別ユーザの情報処理端末装置２ｂから、更に別の個別ユーザの情報処理端末装置２ｃへと、上記の配信対象のデータ６及び情報送受信プログラム７がダウンロードされる。
【００３６】
このようなダウンロードが繰り返されることで、配信対象の各種情報４や他の種の機能パーツ５のデータ利用が、樹形図的に、或いは幾何級数的に、幾何級数的な勢いでシームレスに広められて行くこととなる。
【００３７】
ダウンロード履歴追跡プログラム２１は、個別ユーザ（例えば２ａ）からのダウンロード要求履歴情報の送信要求を受けると、それに対応して、その個別ユーザの情報端末処理装置２ａに対する別の個別ユーザ（例えば２ｂ）からのダウンロード要求履歴情報及びそれ以降に樹形図的に連続したダウンロード要求履歴情報を、ダウンロード要求履歴情報リストから読み出して、そのダウンロード要求履歴情報の送信を要求している個別ユーザの情報端末処理装置２ａへと送信する機能を備えたプログラムである。
【００３８】
ダウンロード回数計数プログラム２２は、ダウンロード要求の対象となった配信対象の情報４又は機能パーツ５のダウンロード回数を計数し、その情報を記憶したり出力したりする機能を備えたプログラムである。
【００３９】
配信データ更新プログラム２３は、端末識別リスト１９に基づいて、その端末識別リスト１９に記憶されている全ての個別ユーザ、又はその内から配信元によって選択された特定の個別ユーザに対して一斉に、新たな配信対象のデータ６を配信する機能を有するプログラムである。
【００４０】
この情報送受信システムでは、図３に示したような情報処理及び情報送受信の動作が行われる。一の個別ユーザの情報処理端末装置２ａが配信元の情報処理装置１によるウェブサイトにアクセスし（図３のＳ−１）、その所定の画面内に配置されているアイコン又はそれと同等のダウンロードスイッチ機能を有するＦＬＡＳＨ素材をクリックすると（図３のＳ−２）、それがダウンロード要求の入力となり、コンテンツホルダレイヤである配信元の情報処理装置１から、ファンレイヤである一の個別ユーザの情報端末処理装置２ａのデスクトップへと、配信対象のデータ６及び情報送受信プログラム７が１パッケージデータ８として纏めてダウンロードされる。そのファンレイヤである一の個別ユーザの情報端末処理装置２ａのデスクトップにダウンロードされた配信対象のデータ６及び情報送受信プログラム７に対応したアイコン又はＦＬＡＳＨ素材は、その一の個別ユーザの所望により、情報端末処理装置２ａのデスクトップから、例えばその一の個別ユーザが自分の情報処理端末装置２ａによって開設するホームページやブログの画面内に、コピーして用いられる（図３のＳ−６）。
【００４１】
そのホームページやブログを、バイラルレイヤである別の個別ユーザ２ｂが訪問し（図３のＳ−４）、所望によりクリックすると（図３のＳ−５）、そこに使用されているアイコン又は同等の機能を有するＦＬＡＳＨ素材が、その時クリックした別の個別ユーザの情報処理端末装置２ｂのデスクトップにダウンロードされる。このとき、アイコンや同等の機能を有するＦＬＡＳＨ素材に対応した配信対象のデータ並びに情報送受信プログラムも、一の個別ユーザの情報端末処理装置２ａのホームページやブログから、別の個別ユーザの情報端末処理装置２ｂのデスクトップへと、コピーされる（図３のＳ−６）。またそれに伴って、この時ダウンロードを受けた、その別の個別ユーザ２ｂの認識情報が、ダウンロード元の個別ユーザの情報端末処理装置２ａの識別情報との樹形図的な相関関係の情報を付与されて、配信元の情報処理装置１へと送信され（図３のＳ−７）、端末識別リスト１９及びダウンロード要求履歴情報リスト２０の両者に記憶される（図３のＳ−８）。
【００４２】
その別の個別ユーザの情報端末処理装置２ｂでは、アイコンや同等の機能を有するＦＬＡＳＨ素材及びそれに対応した配信対象のデータ６並びに情報送受信プログラム７が、デスクトップから例えば自分の情報処理端末装置２ｂによって開設されたホームページやブログの画面内へとコピーして用いられる（図３のＳ−９）。
【００４３】
その後、更に別の個別ユーザ２ｃが、別の個別ユーザ２ｂのホームページ又はブログを訪問し（図３のＳ−１０）、その画面内に配置されているアイコン又はＦＬＡＳＨ素材に対して、ダウンロード要求のクリックを行うと（図３のＳ−１１）、別の個別ユーザの情報処理端末装置２ｂがファンレイヤのような存在となり、更に別の個別ユーザの情報処理端末装置２ｃがバイラルレイヤのような存在となって、そのファンレイヤとしての別の個別ユーザの情報処理端末装置２ｂから、バイラルレイヤとしての更に別の個別ユーザの情報処理端末装置２ｃへと、上記の配信対象のデータ６及び情報送受信プログラム７がダウンロードされる（図３のＳ−１２）。それに伴って、この時ダウンロードを受けた、その更に別の個別ユーザ２ｃの認識情報が、配信元の情報処理装置１へと送信されて端末識別リスト１９に記憶されると共に、その更に別の個別ユーザ２ｃの認識情報が、ダウンロード元である別の個別ユーザの情報端末処理装置２ｂの識別情報との樹形図的な相関関係の情報を付与されて、配信元の情報処理装置１へと送信され（図３のＳ−１３）、ダウンロード要求履歴情報リスト２０に記憶される（図３のＳ−１４）。尚、図３では、ステップＳ−１４の後にＥＮＤを置いているが、実際には、上記のような一つの個別ユーザの情報処理端末装置から別の個別ユーザへ、そして更に別の個別ユーザへ、というように、１データパッケージ８のダウンロードが延々と連鎖的に繰り返されて行くこととなる。このようなダウンロードがシームレスに繰り返されることで、配信対象の情報や機能パーツのデータの利用が、樹形図的に、或いは幾何級数的に広められて行く。
【００４４】
ダウンロード履歴追跡動作では、図４に示したように、配信元の情報処理装置１が、インターネット３を介して、個別ユーザ（例えば２ａ）からのダウンロード要求履歴情報の送信の要求を受けると（図４のＳ−１）、それに対応して、その個別ユーザの情報端末処理装置２ａに対する別の個別ユーザ（例えば２ｂ）からのダウンロード要求履歴情報及びそれ以降に樹形図的に連続した個別ユーザ（例えば２ｃ）からのダウンロード要求履歴情報を、ダウンロード要求履歴情報リスト２０から読み出して、そのダウンロード要求履歴情報の送信を要求している個別ユーザの情報端末処理装置へと送信する（図４のＳ−２）。そのダウンロード要求履歴情報を受信した個別ユーザの情報端末処理装置２ａでは、そのダウンロード要求履歴情報を、例えばハードディスクのような記憶装置１８に記憶、又はディスプレイ装置（図示省略）の画面上などに表示出力もしくは印刷出力する（図４のＳ−３）。或いは配信元が自己出力を所望の場合は（図４のＳ−４のｙｅｓ）、自らの情報処理装置１内で、ダウンロード要求履歴情報を読み出して表示出力又は印刷出力する（図４のＳ−５）。
【００４５】
ダウンロード計数動作では、図５に示したように、配信元の情報処理装置１が、インターネット３を介して、個別ユーザ（例えば２ａ）からのダウンロード要求履歴情報の送信の要求を受けると（図５のＳ−１のｙｅｓ）、それに対応して、その時計数対象として要求されている配信対象のデータ６についてのダウンロード回数を、端末識別リスト１９及びダウンロード要求履歴情報リスト２０に記憶されている情報に基づいて計数し（図５のＳ−２）、その計数結果のデータを、要求のあった個別ユーザの情報処理端末装置２ａへと送信する（図５のＳ−３）。それを受信した個別ユーザの情報処理端末装置２ａでは、そのダウンロード回数の情報を記憶又は出力する（図５のＳ−４）。
【００４６】
或いは、図６に示したように、同様のダウンロード回数の出力の要求を配信元が自己の情報処理装置１に対して行った場合には（図６のＳ−１）、その自己の情報処理装置１によって、計数を要求された配信対象のデータ６のダウンロード回数を計数し（図６のＳ−２）、その情報を自己の記憶装置１８等に記憶又は自己の表示出力装置等（図示省略）に出力する（図６のＳ−３）。
【００４７】
配信データ更新動作では、図７に示したように、配信元が新しい配信データの送信を所望する場合には（図７のＳ−１のｙｅｓ）、配信元の情報処理装置１によって、端末識別リスト１９に記憶されている全ての個別ユーザ、又はその内から配信元によって選択された特定の個別ユーザの認識情報及びそれに対応付けられて記憶されているそれら個別ユーザごとの情報処理端末装置２ａ、２ｂ、２ｃにおける配信対象のデータ６等が用いられているＵＲＬやＨＴＭＬのデータを読み出して（図７のＳ−２）、それら配信先となる個別ユーザの全てに対して一斉に、新たな配信対象のデータ６を配信する（図７のＳ−３）。
【００４８】
このように、本実施の形態に係る情報送受信システム及び情報送受信プログラムによれば、少なくとも配信時点でその配信元の情報処理装置１にダウンロード可能に配備された配信対象の情報４や各種機能パーツ５が、例えばワンクリックするだけのような簡易な操作のみによって、その配信元の情報処理装置１からインターネット３を介して一の個別ユーザの情報処理端末装置（例えば２ａ）にダウンロードされ、その一の個別ユーザの開設したブログやホームページから、前回と同様にワンクリックするだけのような簡易な操作によって、一々配信元のウェブサイト等を訪れることなしに、別の個別ユーザの情報処理端末装置（例えば２ｂ）へと、シームレスにダウンロードされて行き、更に同様の簡易な操作によって、情報処理端末装置２ｂからまた別の情報処理端末装置２ｃへとダウンロードされて行くようにしたので、配信対象の情報４や機能パーツ５の利用を、コンテンツホルダレイヤである配信元からファンレイヤである一の個別ユーザへ、更にその一の個別ユーザからバイラルレイヤである別の個別ユーザへと、というように、樹形図的に（幾何級数的に）シームレスに広めて行くようにすることが可能となる。
【００４９】
ファンレイヤである一の個別ユーザの情報端末処理装置２ａに対する、バイラルレイヤである別の個別ユーザの情報端末処理装置２ｂからのダウンロード要求履歴情報及びそれ以降にダウンロード要求のあった（従ってダウンロード履歴のあった）更に別の個別ユーザの情報端末処理装置２ｃからのダウンロード要求履歴情報等を、それらの相関関係が一目瞭然に把握できる樹形図的に連続したダウンロード要求履歴情報として、一の個別ユーザの情報端末処理装置に記憶又は出力するようにしたので、ファンレイヤ及びバイラルレイヤの各個別ユーザのそれぞれにとっての、自己のダウンロード以降の配信の樹形図的な広がりや、別の個別ユーザとの相関関係などを、それら各個別ユーザ自身又は配信元が、一目瞭然に追跡・把握することが可能となる。
【００５０】
ダウンロード要求の対象となった配信対象の情報４又は機能パーツ５の内の少なくとも何れか一方のダウンロード回数を計数し、その情報を配信元の情報処理装置１や各個別ユーザの情報処理端末装置２ａ、２ｂ、２ｃで記憶又は出力するようにしたので、配信元又は各個別ユーザが、配信対象の情報４や機能パーツ５などの配信対象のデータ６の利用状況を把握することが可能となる。
【００５１】
配信元の情報処理装置１が、端末識別リスト１９に記憶されている全ての又はその内から選択された幾つかの個別ユーザに対して一斉に、新たな配信対象の情報４や機能パーツ５を配信するようにしたので、上記のように配信が広がってその個別ユーザの総数が膨大な数に達しても、それらの個別ユーザ全員又はその内から配信元が選択した特定のユーザに対して、漏れなく一斉に、新たな配信対象の情報４や機能パーツ５の配信を行うことが可能となる。
【００５２】
尚、各個別ユーザが、例えば自分のブログ中に使用している、配信対象のデータのＨＴＭＬデータ又はＵＲＬデータ、或いはアイコンもしくはそれと同様の機能を兼ね備えたＦＬＡＳＨ素材のファイルを、自己のＥメールに添付して友人に送付する、又は例えば友人の開設しているホームページにコピーアンドペーストするなどして、その友人に対して上記のような配信対象のデータを紹介することなども可能である。
【００５３】
その他、本発明の主旨を逸脱しない範囲内で、種々のバリエーション等が可能であることは勿論である。
【実施例】
【００５４】
図８は、本実施例に係る情報送受信システム及び情報送受信プログラムによって実現される配信画面及びその動作を模式的に示す図、図９は、本実施例に係る情報送受信システム及び情報送受信プログラムによって実現される配信の幾何級数的な広がり方を模式的に示す図、図１０は、本実施例に係る情報送受信システム及び情報送受信プログラムによって実現されるＲＳＳマーケティング情報収集動作を模式的に示す図、図１１は、本実施例に係る情報送受信システム及び情報送受信プログラムによって実現されるダウンロード追跡情報表示画面、及びその表示を行う際に用いられるアイコンとしての機能を兼ね備えたＦＬＡＳＨ素材の動作を模式的に示す図、図１２は、本実施例に係る情報送受信システム及び情報送受信プログラムによって実現される配信対象のデータの一斉配信動作を模式的に示す図である。
【００５５】
本実施例に係る情報送受信システム及びそれに用いられるプログラムによれば、上記実施の形態で説明したようなバイラル効果を極めて有効に促進することが可能なデスクトップツール３１を、図８に示したように、配信対象のデータ６に対応したＦＬＡＳＨ素材として各個別ユーザの情報処理端末装置２ａ等のデスクトップに常駐させる。
【００５６】
この図８に示したデスクトップツール３１は、ウェブサイトの所定のページ画面３０内に配置されており、「クリックすると．．．」というブラウザ３２を実際に個別ユーザがクリックすると、その個別ユーザの情報処理端末装置２ａのデスクトップにデスクトップツール３１が自動的にダウンロードされると共に、ＦＬＡＳＨ動画のキャラクタ３５がその画面内を自動的に歩き回ることが可能に設定されている。このデスクトップツール３１のＦＬＡＳＨ素材全体枠の上辺部には、例えば「Ｇ７の現状株高、再始動の．．．」といった株式速報のようなＲＳＳによる配信情報３４が、配信対象の情報４の一つとして表示されるように設定されている。アイコンの機能を兼ね備えたＦＬＡＳＨ素材であるキャラクタ３５が手に持っている掲示ボード３３には、この個別ユーザの情報処理端末装置２ａからダウンロードされて以降の累積ダウンロード回数が「Ｄ友」の人数（ここでは一例として２４０人）として表示され、ダウンロード回数の情報及びダウンロード要求履歴情報に基づいて算出された、この個別ユーザの情報処理端末装置２ａから別の個別ユーザのサイト等へとダウンロードされて以降の、デスクトップツール３１のようなブログパーツ（ＢＰ；Blog Parts）を使用した合計サイト数が「ＢＰ数」（ここでは一例として２００サイト）として表示される。
【００５７】
デスクトップツール３１は、図９に示したように、まずコンテンツホルダレイヤである配信元によって情報処理装置１に開設されたウェブサイトにおける所定の画面３６内の所定の位置に配置されており、ファンレイヤである一の個別ユーザ３８によってそのデスクトップツール３１の枠内領域又はキャラクタ３５がクリックされると、それをダウンロード要求として受けて、その一の個別ユーザ３８のデスクトップ３７に、情報送受信プログラム７と共に１データパッケージ８に纏められて送受できるようにダウンロードされ、このデスクトップツール３１全体の画像及びキャラクタ３５の画像又は動画等が表示される。情報送受信プログラム７自体については基本的に動作制御プログラムであるから、デスクトップ３７の画面上にＦＬＡＳＨ動画等として表示されるわけではないことは勿論である。デスクトップ３７にダウンロードされたデスクトップツール３１は、一の個別ユーザ３８によって、その一の個別ユーザ３８自身が開設する例えばブログの画面３９内に、コピーされる。そして別の個別ユーザ４１、４２、４３が、一の個別ユーザ３８のブログの画面３９内のデスクトップツール３１をクリックすることにより、デスクトップツール３１がそれら別の個別ユーザ４１、４２、４３のデスクトップ４４、４５、４６にそれぞれダウンロードされる。それらデスクトップ４４、４５、４６にダウンロードされたデスクトップツール３１は、更に別の個別ユーザ（図示省略）のデスクトップにそれぞれダウンロードされる。このようにして、デスクトップツール３１の配信が多数の個別ユーザの間にシームレスに幾何級数的に広がって行く。
【００５８】
図１０に示したように、デスクトップツール３１又はキャラクタ３５もしくはその他のブログパーツ等（図示省略）がダウンロードされるごとに、ＤＴＳ配信数、ＤＴＳアクティブ数、ＢＰ数（ブログ作成用のパーツ使用数）、ＲＳＳクリック数、購読ＲＳＳのＵＲＬ、購読ＲＳＳクリック数の各データが、配信元の情報処理装置１へと送信される。また逆方向で、配信元の情報処理装置１から各個別ユーザへと、ＲＳＳによる各種情報が配信されるが、その際のＲＳＳ配信数のデータは、配信元の情報処理装置１自体に格納される。これらのデータは、配信元の情報処理装置１の記憶装置１８に収集されて、ＲＳＳマーケティングを行う為のデータとしても利用可能となる。即ち、例えば配信元５２は、上記のようにして収集されて配信元の情報処理装置１の記憶装置１８に格納されている各種データの内から所望の種類のデータを読み出して解析する。例えば各ＲＳＳごとのクリック数をダウンロード回数の計数データから把握・解析する。そのデータを、例えば解析データ閲覧専用会員として契約しているユーザ４４が、自己の情報処理端末装置４５にダウンロードして用いる、といったことなども可能となっている。
【００５９】
本実施例に係る情報送受信システム及び情報送受信プログラムによって実現されてバイラル効果を促進する為のダウンロード追跡情報表示画面、及びその画面表示の要求を入力する為のアイコンとしての機能を兼ね備えたＦＬＡＳＨ素材からなるキャラクタ３５は、図１１に模式的に示したように機能する。デスクトップツール３１のキャラクタ３５が手に持っている掲示ボード３３をクリックすると、ダウンロード追跡情報表示画面４６が表示される。そのダウンロード追跡情報表示画面４６には、このダウンロード追跡情報表示画面４６を閲覧している個別ユーザ本人によるダウンロードが行われて以降の、この個別ユーザとは別の個別ユーザへのダウンロード履歴が、樹形図のような相関関係を示す図として表示される。この図１１では、キャラクタ３５が個別ユーザ本人を表しており、そのキャラクタ３５から樹形図のように枝分れして行く相関関係の線で繋がっている、ＦＬＡＳＨ素材からなるキャラクタ３５に似た意匠のキャラクタ４７、４８、４９、５０、５１・・・が、この個別ユーザ本人以降のダウンロード先の個別ユーザを表している。この図１１に示した一例では、このダウンロード履歴を見ている個別ユーザ本人であるＡさんのキャラクタ３５から、Ｂさん、Ｃさん、Ｄさんのそれぞれのキャラクタ４７、４８、４９が相関を示す線で繋がっているので、ＡさんからＢさん、Ｃさん、Ｄさんに対してダウンロードが行われたことが判る。更に、その内のＣさんのキャラクタ４８からは、Ｋさんのキャラクタ５０、Ｇさんのキャラクタ５１、Ｈさんのキャラクタ５２に線が枝分れして繋がっているので、そのＣさんからＫさん、Ｇさん、Ｈさんに対してダウンロードが行われたことが判る。
【００６０】
本実施例に係る情報送受信システム及び情報送受信プログラムによって実現される、配信対象のデータ６をインターネット３を介して一斉に配信する動作は、図１２に模式的に示したように、配信元５２の所望に従い、情報処理装置１が、記憶装置１８に格納されている端末識別リスト１９に基づいて、そのリストの全ての個別ユーザ５３〜５８、或いは配信元５２によって選択された特定の個別ユーザに対して、漏れなく一斉に行うことができる。
【００６１】
尚、配信対象のデータ６としては、上記のようなキャラクタ３５を含んだデスクトップツール３１の他にも、例えば図１３に示したようなアナログ時計６６などをブログパーツとして配信することなども可能である。この図１３（ａ）に示したように、配信元のウェブサイト又は個別ユーザのブログの、所定の画面６７にアクセスし、デスクトップツールとして配置されているアナログ時計６６をクリックして、ツールボックス６８の「ブログに張る」６９を選択する。すると図１３（ｂ）に示したような画面７０が表示される。ユーザが貼り先のＵＲＬを空欄７１に入力することにより、ブログパーツ用のＨＴＭＬタグが生成される。図１３（ｂ）に示したように生成されたＨＴＭＬタグ７２は、自動的にクリップボードにコピーされて、そのＨＴＭＬタグを貼りやすくすることができる。そのクリップボードにコピーした旨の情報７３は例えば画面６７の下辺寄りに表示される。
【図面の簡単な説明】
【００６２】
【図１】本発明の実施の形態に係る情報送受信システムの概要構成を示す図である。
【図２】本発明の実施の形態に係る情報送受信システムにて１パッケージとして用いられる、配信対象のデータ及び情報送受信プログラムにおける主要部の機能の構成を模式的に示すブロック図である。
【図３】本発明の実施の形態に係る情報送受信システムにおける主要な情報処理動作及び情報送受信動作の流れを示す図である。
【図４】本発明の実施の形態に係る情報送受信システムにおける主要な情報処理動作及び情報送受信動作の流れを示す図である。
【図５】本発明の実施の形態に係る情報送受信システムにおける主要な情報処理動作及び情報送受信動作の流れを示す図である。
【図６】本発明の実施の形態に係る情報送受信システムにおける主要な情報処理動作及び情報送受信動作の流れを示す図である。
【図７】本発明の実施の形態に係る情報送受信システムにおける主要な情報処理動作及び情報送受信動作の流れを示す図である。
【図８】本発明の実施例に係る情報送受信システム及び情報送受信プログラムによって実現される配信画面及びそれを用いた動作を模式的に示す図である。
【図９】本発明の実施例に係る情報送受信システム及び情報送受信プログラムによって実現される配信の幾何級数的な広がり方を模式的に示す図である。
【図１０】本発明の実施例に係る情報送受信システム」及び情報送受信プログラムによって実現されるＲＳＳマーケティング情報収集動作を模式的に示す図である。
【図１１】本発明の実施例に係る情報送受信システム及び情報送受信プログラムによって実現されるダウンロード追跡情報表示画面、及びその表示を行う為のアイコンとしての機能を兼ね備えたＦＬＡＳＨ素材の動作を、模式的に示す図である。
【図１２】本発明の実施例に係る情報送受信システム及び情報送受信プログラムによって実現される、配信対象のデータを一斉に配信する動作を模式的に示す図である。
【図１３】配信対象のデータのバリエーションの一例としてアナログ時計のブログパーツを示す図である。
【符号の説明】
【００６３】
１    配信元の情報処理装置
２ａ  情報処理端末装置
２ｂ  情報処理端末装置
２ｃ  情報処理端末装置
３    インターネット
４    配信対象の情報
５    機能パーツ
６    配信対象のデータ
７    情報送受信プログラム
８    データパッケージ
９    配信機能
１０  アイコン常駐機能
１１  アイコンコピー機能
１２  個別ユーザ識別情報送信要求機能
１３  個別ユーザ識別情報書込機能
１４  サーバ接続機能
１５  ダウンロード要求履歴情報書込機能
１６  ダウンロード要求履歴情報送信要求機能
１７  ダウンロード要求履歴情報出力機能
１８  記憶装置
１９  端末識別リスト
２０  ダウンロード要求履歴情報リスト
２１  ダウンロード履歴追跡プログラム
２２  ダウンロード回数計数プログラム
２３  配信データ更新プログラム
３１  デスクトップツール
３２  「クリックすると」ブラウザ
３３  掲示ボード
３４  ＲＳＳ配信情報
３５  キャラクタ
３６  ウェブサイト画面
３７  デスクトップ
３８  個別ユーザ
３９  ブログ画面
４１  個別ユーザ
４４  デスクトップ
４７  キャラクタ
５３  個別ユーザ
【図１】
2008299733.tif 000003
【図２】
2008299733.tif 000004
【図３】
2008299733.tif 000005
【図４】
2008299733.tif 000006
【図５】
2008299733.tif 000007
【図６】
2008299733.tif 000008
【図７】
2008299733.tif 000009
【図８】
2008299733.tif 000010
【図９】
2008299733.tif 000011
【図１０】
2008299733.tif 000012
【図１１】
2008299733.tif 000013
【図１２】
2008299733.tif 000014
【図１３】
2008299733.tif 000015